【手続補正書】
【提出日】平成18年5月26日(2006.5.26)
【手続補正１】
【補正対象書類名】明細書
【補正対象項目名】０００２
【補正方法】変更
【補正の内容】
【０００２】  建築物は災害から人命を守る役割を果たしているが、大地震発生時に建物内では逆に被害の原因になっている。既存の建築物には現行基準法以前の施工及び耐用年限中でも木造の腐朽、耐力壁不足などの安全性が確保されていない建築物が存在していることなどにより、大地震発生時の建物の倒壊により多くの死傷者が発生している。この対策として柱や壁を強化して耐震性能を高め大地震時に建物の大破や崩壊を防ぐ耐震構造にすることや、建物への地震動の入力を積層ゴムなどの免震層で激しい揺れを低減する免震構造などの技術が開発されている。しかし、これらの耐震機能を高めるためには大きな費用を要することなどにより現状は低い普及に留まっている。ここに、大地震または台風の発生時に於ける建物の倒壊及び家具の転倒などの災害に対し人命の安全に係る防災構造物の備えが重要となっている。なお、本発明に関連する従来の技術として下記特許文献がある。
特許文献１によれば、保護部材エアーバッグを格納本体より、気体を供給する事で突出させ、人体の頭から足先までスムーズに出るよう構成し、かつ、保護部材を常時格納状態に維持する地震センサーを格納本体に付設または手動で作動するスイッチを接続し、前記、地震センサーが地震の振動、又は手動スイッチにより、前記、保護部材の格納状態を解除し、アーチ状シェルターで人体を覆うように構成した防災器具が提案されている。
また、特許文献２によれば、地震が発生した場合にエヤ−バックが大きく膨らんで就寝者をカバ−する為の保護装置であって、エヤ−バックにはタンク等のエヤー供給装置を備え、一方、適当な場所に設置した地震計からの信号を受けてエヤ−供給装置からエヤ−が流れるように作動する電磁弁を設け、更に該エヤ−バックにはエヤ−の充填に伴って膨らむことで起立するように取り付けたフレームや、エヤーバックが就寝者の両側に布団より高く配置して転倒する家具の衝撃を吸収し重圧を支える保護装置が提案されている。
さらに、特許文献３によれば、必要時に膨張させたエアバッグにより倒壊建物を内部から支えることで、倒壊建物内の人身を保護する人身保護方法で、倒壊が予測される場合に予め膨張させたり、建物の変形検出手段が与える信号に基づいて膨張させて設置する方法、及び、信号に基づいてガスの充填で膨張しつつ立体化する骨格部材を内蔵し、この骨格部材の立体化に伴なって空気を吸入して膨張するエアバッグ。あるいは、変形検出手段からの信号に基づいて膨張用のガスを発生するガス発生手段、及びガス発生手段からのガスの供給により膨張するエアバッグを含んでなる人身保護具が提案されている。
【特許文献１】  実用新案登録第３０８６１９２号公報
【特許文献２】  特開平９−２３４１３６号公報
【特許文献３】  特開平８−３３２２４３号公報  なお、本提案に関連する従来の技術として上記以外に、特開平８−２２９１５１号公報及び特開平７−１７８１９５号公報もある。
【手続補正２】
【補正対象書類名】明細書
【補正対象項目名】０００３
【補正方法】変更
【補正の内容】
【０００３】これまでに、大地震の発生時に建物の倒壊や落下物から身体を守る防御装置として種々の気体を用いた装置及び方法が提案されている。しかし、これらの従来技術には次のような問題点があった。前記特許文献１では、保護部材がアーチ状シェルターで人体を覆うように構成し、空気圧を掛けてエアーバッグを形成する装置であり、この膜構造物を半円状のエアマット状に形成するには膜構造の外膜と内膜内に球形状への膨らみを抑える部材として、例えば、隔膜状に張り渡す支持部材などの構成について何ら記載がない。また、保護部材で形成するエアーバッグは格納本体より気体を供給する事で突出させ、人体の頭から足先までスムーズに出る形態であり、人体を覆うエアーバッグと防災機能の整っていない設置部で構成され、防災用具の設置部及び周辺が損壊のときエアーバッグと身体との一体性の保持についても何ら記述示唆がない。
【手続補正３】
【補正対象書類名】明細書
【補正対象項目名】０００４
【補正方法】変更
【補正の内容】
【０００４】  さらに、地震センサーが地震の振動、又は手動スイッチにより、前記、保護部材の格納状態を解除し、気体を供給することでエアーバッグを突出させる装置であり、地震が直下型や震源が近い大地震のときは建物などに瞬時の破壊現象が作用し、この緊迫度に対し安全機能への対処形態に係る示唆がない。また、地震発生時に地震計からの信号で作動する電動源の電気は地震動の衝撃による電気設備の損壊に伴う停電が発生し、その停電時の予備装置の備えがなく気体注入の不足状態で建物の倒壊や落下物などの大荷重に対応する防御についても全く記載がない。
【手続補正４】
【補正対象書類名】明細書
【補正対象項目名】０００５
【補正方法】変更
【補正の内容】
【０００５】  また、前記特許文献２では、地震が発生した場合にエヤーバックが大きく膨らんで就寝者をカバーする装置であり、このエヤーバックは適切な耐荷能力を得る気体圧を掛けると円筒形に膨らむため、高い気体圧を掛けた膜体を扁平状に形成させるには膜構造物の上膜と下膜に気体圧による円筒状への膨らみを抑える部材として、例えば、周囲からの支え部材などの構成について全く記載がない。そして、エヤーバックを就寝者の両側に配置して転倒する家具の衝撃を吸収し重圧を支える装置であり、大地震の遭遇時に人命の被害は家具の転倒とともに家屋の崩壊による落下物で窒息や圧死の被害を引き起こすことが多く、建物構造体の大荷重が日常の掛け布団の上部から就寝者を直撃した場合、この身体に掛かる衝撃力を許容値以下に抑えるための防災対応についても示唆がない。
【手続補正５】
【補正対象書類名】明細書
【補正対象項目名】０００６
【補正方法】変更
【補正の内容】
【０００６】  さらに、適当な場所に設置した地震計からの信号を受けてエヤー供給装置からエアーが流れるように作動する電磁弁を設ける装置であり、これは、地震発生時に地震計からの信号で作動する電動源の電気は地震動の衝撃による電気設備の損壊に伴う停電時に対応する予備装置の備えがなく、これらの安全性の確保についても何ら記載がない。
つぎに、前記特許文献３では、エアバッグの膨張することで倒壊建物が筋交い状態になり、この筋交い的機能により建物倒壊の進行を遅らせ、そして、最終的には倒壊後も居住者の安全に十分な程度の空間を確保し、その空間により人身が保護される方法であり、この人身保護の機能は身体を直接的に覆う防御形態が構築されず、直下型や震源の近い巨大地震のときは初動の激しい上下動などにより構造部材が複雑に破壊され、エアバッグによる空間確保だけでは建物の崩壊に対し身体が無防備状態で衝撃を受けることとなり、さらに、エアバッグは内接する気体圧のホースが内部から押し拡げて空気を吸入させる形態であるため耐荷能力を備えた膨張膜としての空気圧は得られず、また、ホース状の形態は螺旋タイプと単一の環状タイプとされているがガスの給排個所やホースの膨張と耐圧強度との関係などの膨張機能についても全く記載がなく図面表示も不明である。
【手続補正６】
【補正対象書類名】明細書
【補正対象項目名】０００７
【補正方法】変更
【補正の内容】
【０００７】  そこで、本発明においては、上記従来技術の問題点を解決するものでその目的は、膨張膜構造体を中空の円筒形の膜体と、これに内接し隔膜の機能を有する升目状の膜体が重層構造を形成して耐圧能力を高め、衝撃時には圧力方向と反対方向に回転移動したり、円筒状の端部に衝撃を受けた場合に変形と共に他方が浮き上がることなどによりクッション効果を上げる利点を持ち、かつ、荷重の衝撃力に対し破裂を防ぐ高強度の膜材とし、使用時に気体を注入させ、停電時に作動する蓄圧タンクを備えて所定の気体圧を常に確保することができ、膜と気体でつくられ軽量であり、使用しない場合は折りたたむことが容易な構造物であって、建物の倒壊などから身体を防御する防災寝具を提供することにある。
【手続補正７】
【補正対象書類名】明細書
【補正対象項目名】０００９
【補正方法】変更
【補正の内容】
【０００９】  本発明は上記の構成からなり次のような効果が期待できる。
１、装置が円筒形の膜構造のため衝撃荷重に対し回転したり変形や浮き上がることにより衝撃を受ける力が緩和され反発力を小さくしている。
２、衝撃力に対して外膜と内膜の膜体とリング部材と繋部材の膜体が重層構造となり耐圧能力を高めている。
３空気圧は常に設定した強度を確保させるため空気充填装置に防護カバーを備え、蓄圧タンク、及び、予備装置を設けている。
４、使用時に空気圧を掛けた膨張膜体は多様な衝撃力を防ぐ防災機能を保持している。
５、膜構造物はより少ない材料と空気圧でつくられ経済的で、設置と収納が容易である。
６、就寝者は常に膜構造体のクッション機能により身体を守り安眠が図られる。